(57)【特許請求の範囲】
【請求項１】
長手方向において少なくとも人体の恥骨と尾骨との間の長さを有し、前記長手方向に対する幅方向において人体の一対の坐骨間の長さよりも短い幅を有する骨盤底筋群押圧具であって、
長手方向における人体の恥骨と尾骨との間の長さに対応する部分の全体は、前記長手方向に対する幅の一端から他端に渡って骨盤底筋群押圧具の外方へ湾曲する凸状上面を有し、
人体の前後方向に前記長手方向が一致する位置関係で、前記凸状上面が骨盤底筋群押圧具において最も上に位置するように、且つ、骨盤底筋群押圧具の長手方向が座面に沿うように載置され、人体が前記座面に座り前記凸状上面を跨ぐことにより、前記凸状上面が恥骨と尾骨とにそれぞれ対向し、骨盤底筋群を押圧し、
前記凸状上面においてＪＩＳ  Ｋ６２５３準拠の国際ゴム硬さ（ＩＲＨＤ）の値で１０〜２０の硬度を有し、
前記座面上に載置され、前記凸状上面に対向する位置関係を有する下面を備え、
前記凸状上面と前記下面との最大距離は３０ｍｍ〜６０ｍｍである骨盤底筋群押圧具。
【請求項２】
前記凸状上面は、長手方向における一端部から他端部に渡って外方へ湾曲し、
前記下面は平坦面により構成される請求項１に記載の骨盤底筋群押圧具。
【請求項３】
長手方向において少なくとも人体の恥骨と尾骨との間の長さを有し、前記長手方向に対する幅方向において人体の一対の坐骨間の長さよりも短い幅を有する骨盤底筋群押圧具であって、
長手方向における人体の恥骨と尾骨との間の長さに対応する部分の全体は、前記長手方向に対する幅の一端から他端に渡って骨盤底筋群押圧具の外方へ湾曲する凸状上面を有し、
人体の前後方向に前記長手方向が一致する位置関係で、前記凸状上面が骨盤底筋群押圧具において最も上に位置するように、且つ、骨盤底筋群押圧具の長手方向が座面に沿うように載置され、人体が前記座面に座り前記凸状上面を跨ぐことにより、前記凸状上面が恥骨と尾骨とにそれぞれ対向し、骨盤底筋群を押圧し、
前記凸状上面においてＪＩＳ  Ｋ６２５３準拠の国際ゴム硬さ（ＩＲＨＤ）の値で１０〜２０の硬度を有し、
前記長手方向に対する幅の一端から他端に渡って骨盤底筋群押圧具の外方へ湾曲し、前記凸状上面に対向する位置関係を有する凸状下面を備え、
前記凸状上面と前記凸状下面との最大距離は３０ｍｍ〜６０ｍｍである骨盤底筋群押圧具。
【発明の詳細な説明】
【技術分野】
【０００１】
本発明は、人体の体重を利用して骨盤底筋群を押圧する骨盤底筋群押圧具に関する。
【背景技術】
【０００２】
従来より、座面に載置されて姿勢等を矯正する矯正具が知られている。矯正具は、略半割りされた円筒形状を有する凸部を備えている。凸部の長手方向が人体の左右方向に平行な位置関係となるように、矯正具は座面に載置される。そして人体は、座面及び矯正具に座る（特許文献１参照）。
【先行技術文献】
【特許文献】
【０００３】
【特許文献１】特開平１０−３１３９７０号公報
【発明の概要】
【発明が解決しようとする課題】
【０００４】
前述の矯正具は、人体の姿勢を人体外部から矯正しようとするが、人体内部の筋肉を積極的に動かして姿勢を改善することはできない。近年では、人体内方に位置する筋肉等、例えば、横隔膜や、腹横筋や、多裂筋や、脊柱起立筋等を積極的に動かすことが姿勢の改善につながると考えられている。特に、骨盤底筋群を押圧することにより、これらの筋肉を積極的に動かすことが考えられている。
【０００５】
しかし、骨盤底筋群を押圧することは、指等により股間を押圧することである。このような押圧については、特に若い女性は、強い抵抗を感じることがある。
【０００６】
本発明は、適度に骨盤底筋群を押圧する骨盤底筋群押圧具を提供することを目的とする。
【課題を解決するための手段】
【０００７】
本発明は、長手方向において少なくとも人体の恥骨と尾骨との間の長さを有し、前記長手方向に対する幅方向において人体の一対の坐骨間の長さよりも短い幅を有し、長手方向における人体の恥骨と尾骨との間の長さに対応する部分の全体は、前記長手方向に対する幅の一端から他端に渡って外方へ湾曲する凸状上面を有し、人体の前後方向に前記長手方向が一致する位置関係で座面に載置され、人体が前記座面に座り前記凸状上面を跨ぐことにより、前記凸状上面が恥骨と尾骨とにそれぞれ対向し、骨盤底筋群を押圧する骨盤底筋群押圧具に関する。
【０００８】
また、前記凸状上面は、長手方向における一端部から他端部に渡って外方へ湾曲し、平坦面により構成され、前記凸状上面に対向する位置関係を有する下面を備えることが好ましい。
【０００９】
また、前記長手方向に対する幅の一端から他端に渡って外方へ湾曲し、前記凸状上面に対向する位置関係を有する凸状下面を備えることが好ましい。
【００１０】
また、凸状上面と下面との最大距離は３０ｍｍ〜６０ｍｍであるか、又は凸状上面と凸状下面との最大距離は３０ｍｍ〜６０ｍｍであることが好ましい。
【００１１】
また、ＪＩＳ  Ｋ６２５３準拠の国際ゴム硬さ（ＩＲＨＤ）の値で１０〜２０の硬度を有することが好ましい。
【発明の効果】
【００１２】
本発明によれば、適度に骨盤底筋群を押圧する骨盤底筋群押圧具を提供することができる。
【図面の簡単な説明】
【００１３】
【図１】第１実施形態に係る骨盤底筋群押圧具を示す図であり、（ａ）は、第１実施形態に係る骨盤底筋群押圧具を示す正面図である。（ｂ）は、第１実施形態に係る骨盤底筋群押圧具を示す平面図である。（ｃ）は、第１実施形態に係る骨盤底筋群押圧具を示す右側面図である。
【図２】第１実施形態に係る骨盤底筋群押圧具により人体の骨盤底筋群を押圧している様子を示す背面図である。
【図３】第２実施形態に係る骨盤底筋群押圧具を示す図であり、（ａ）は、第２実施形態に係る骨盤底筋群押圧具を示す正面図である。（ｂ）は、第２実施形態に係る骨盤底筋群押圧具を示す平面図である。（ｃ）は、第２実施形態に係る骨盤底筋群押圧具を示す右側面図である。
【図４】第２実施形態に係る骨盤底筋群押圧具により人体の骨盤底筋群を押圧している様子を示す背面図である。
【発明を実施するための形態】
【００１４】
以下、本発明の第１実施形態による骨盤底筋群押圧具について、図面を参照しながら説明する。図１は、第１実施形態に係る骨盤底筋群押圧具を示す図であり、（ａ）は、第１実施形態に係る骨盤底筋群押圧具を示す正面図である。（ｂ）は、第１実施形態に係る骨盤底筋群押圧具を示す平面図である。（ｃ）は、第１実施形態に係る骨盤底筋群押圧具を示す右側面図である。図２は、第１実施形態に係る骨盤底筋群押圧具により人体の骨盤底筋群を押圧している様子を示す背面図である。図３は、第２実施形態に係る骨盤底筋群押圧具を示す図であり、（ａ）は、第２実施形態に係る骨盤底筋群押圧具を示す正面図である。（ｂ）は、第２実施形態に係る骨盤底筋群押圧具を示す平面図である。（ｃ）は、第２実施形態に係る骨盤底筋群押圧具を示す右側面図である。図４は、第２実施形態に係る骨盤底筋群押圧具により人体の骨盤底筋群を押圧している様子を示す背面図である。
【００１５】
ここで、説明の便宜上、後述の骨盤底筋群押圧具１の凸状下面１２から凸状上面１１へと向かう方向を上方向Ｄ１１と定義し、その反対の方向を下方向Ｄ１２と定義し、これらを上下方向Ｄ１と定義する。また、上下方向Ｄ１に直交する方向であって図２の紙面の表側から裏側へと向かう方向を前方向Ｄ２１と定義し、その反対の方向を後方向Ｄ２２と定義し、これらを前後方向Ｄ２と定義する。また、上下方向Ｄ１に直交する方向であって図２の右方向を左方向Ｄ３１と定義し、その反対の方向を右方向Ｄ３２と定義し、これらを左右方向Ｄ３と定義する。
【００１６】
図１〜図２に示すように、骨盤底筋群押圧具１は、凸状上面１１と、凸状下面１２と、左接続曲面１３と、右接続曲面１４と、前端面１５と、後端面１６と、を有する。
凸状上面１１は、骨盤底筋群押圧具１の長手方向としての前後方向Ｄ２に対する幅の一端から他端に渡って、即ち、骨盤底筋群押圧具１の左端１０１から右端１０２に渡って、外方としての上方向Ｄ１１へ湾曲する。湾曲の形状は、骨盤底筋群押圧具１の前端面１５から後端面１６に至るまで、一様である。換言すれば、骨盤底筋群押圧具１の部分であって骨盤底筋群押圧具１の長手方向における人体Ｈ（図２参照）の恥骨と尾骨との間の長さに対応する部分の全体は、凸状上面１１を有している。骨盤底筋群押圧具１の凸状上面１１は、図１（ａ）に示すように、正面から見ると、半径が２２．５ｍｍの略半円形状を有している。
【００１７】
凸状下面１２は、凸状上面１１の下方向Ｄ１２の側に位置しており、凸状上面１１に対向する位置関係を有する。凸状下面１２は、骨盤底筋群押圧具１の長手方向としての前後方向Ｄ２に対する幅の一端から他端に渡って、即ち、骨盤底筋群押圧具１の左端１０１から右端１０２に渡って、外方としての下方へ湾曲する。湾曲の形状は、骨盤底筋群押圧具１の前端面１５から後端面１６に至るまで、一様である。従って、骨盤底筋群押圧具１の凸状下面１２は、図１（ａ）に示すように、正面から見ると、半径が３０ｍｍの円弧形状を有している。
【００１８】
凸状上面１１の左端縁と凸状下面１２の左端縁とは、左方向Ｄ３１へ湾曲する左接続曲面１３により接続されている。同様に、凸状上面１１の右端縁と凸状下面１２の右端縁とは、左方向Ｄ３１へ湾曲する右接続曲面１４により接続されている。左接続曲面１３、右接続曲面１４は、それぞれ上下方向Ｄ１において、骨盤底筋群押圧具１の前端面１５から後端面１６に至るまで一定の４．５ｍｍの幅を有している。左接続曲面１３、右接続曲面１４は、図１（ａ）に示すように、正面から見ると、半径が８ｍｍの円弧形状を有している。
【００１９】
前端面１５と後端面１６とは、互いに平行な位置関係を有する。また、前端面１５及び後端面１６は、前後方向Ｄ２に直交する。前端面１５及び後端面１６と、凸状上面１１、凸状下面１２、左接続曲面１３、及び右接続曲面１４との接続部分は、半径が５ｍｍ程度のＲ面取り形状を有している。
【００２０】
前端面１５と後端面１６との間の長さ、即ち、骨盤底筋群押圧具１の長手方向における長さ（全長）は、２０７ｍｍである。従って、骨盤底筋群押圧具１は、長手方向において人体Ｈの恥骨と尾骨との間よりも長い長さ（全長）を有する。また、左右方向Ｄ３における幅は、４５ｍｍである。従って、骨盤底筋群押圧具１は、幅方向としての左右方向Ｄ３において人体Ｈの一対の坐骨間の長さよりも短い幅を有する。また、骨盤底筋群押圧具１の凸状上面１１と凸状下面１２との最大距離、即ち、骨盤底筋群押圧具１の上端から下端までの距離は、３０ｍｍ〜６０ｍｍであることが好ましい。第１実施形態では、骨盤底筋群押圧具１の上端から下端までの距離は、５０ｍｍである。３０ｍｍよりも小さい値の場合には、骨盤底筋群に対する押圧が十分でない。また、６０ｍｍよりも大きい値の場合には、人体Ｈの恥骨近傍及び尾骨近傍の部分に痛みを感じるためである。
【００２１】
骨盤底筋群押圧具１は、ウレタン樹脂製である。また、骨盤底筋群押圧具１は、ＪＩＳ  Ｋ６２５３準拠の国際ゴム硬さ（ＩＲＨＤ）の値で、１０〜２０の硬度を有する。第１実施形態による骨盤底筋群押圧具１の硬度は、１２である。１０未満では、硬すぎて人体Ｈの恥骨近傍及び尾骨近傍の部分に痛みを感じるためである。また、２０を越えると、柔らかすぎて骨盤底筋群に対する押圧が十分でないからである。
この硬度の値は、前後方向Ｄ２における骨盤底筋群押圧具１の中央位置であって、且つ左右方向Ｄ３における中央位置に相当する凸状上面１１の部分に、「ＪＩＳ」テクロック・デュロメータ（（株）テクロック社製）を、凸状上面１１に対して垂直な位置関係として当接させて測定を行い、得られたものである。
【００２２】
以上のような構成の骨盤底筋群押圧具１は、以下のようにして使用される。先ず、図２に示すように椅子等の座面Ｓに、人体Ｈの前後方向Ｄ２に長手方向が一致する位置関係で、即ち、人体Ｈの前方向Ｄ２１と後方向Ｄ２２に、それぞれ骨盤底筋群押圧具１の前方向Ｄ２１と後方向Ｄ２２が一致する位置関係で、骨盤底筋群押圧具１は載置される。次に、人体Ｈが座面Ｓに座り、凸状上面１１が人体Ｈの恥骨と尾骨とにそれぞれ対向する位置関係で、骨盤底筋群押圧具１の凸状上面１１を跨ぐ。
【００２３】
このとき、座面Ｓ及び骨盤底筋群押圧具１に座っている人体Ｈの上半身の重みにより、骨盤底筋群が骨盤底筋群押圧具１を押す。これと同時に、臀筋及び大腿筋が座面Ｓを押す。
これに対して骨盤底筋群は、骨盤底筋群押圧具１から反力を受け、これと同時に、臀筋及び大腿筋が座面Ｓから反力を受ける。人体Ｈは、恥骨近傍及び尾骨近傍に刺激を極力受けないように姿勢を調整しようとして、臀筋及び大腿筋のみならず、骨盤底筋群押圧具１の凸状上面１１によって押圧されている骨盤底筋群、及びその周囲のいわゆるインナーマッスル（横隔膜、腹横筋、多裂筋、脊柱起立筋等）を動かす。これらの筋肉は、指等で触れて意識しなければ動かすことは難しいが、骨盤底筋群押圧具１により骨盤底筋群を押圧することにより、意識することができ、動かすことができる。
【００２４】
即ち、骨盤底筋群押圧具１は、長手方向（前後方向Ｄ２）において人体Ｈの恥骨と尾骨との間の長さを有し、長手方向に対する幅方向（左右方向Ｄ３）において人体Ｈの一対の坐骨間の長さよりも短い幅を有し、長手方向における人体Ｈの恥骨と尾骨との間の長さに対応する部分の全体は、長手方向に対する幅の一端から他端に渡って外方へ湾曲する凸状上面１１を有する。このため、骨盤底筋群は、骨盤底筋群押圧具１の凸状上面１１から反力を受け、人体Ｈは、恥骨及び尾骨に刺激を受けないように姿勢を調整し、骨盤底筋群及びその周囲のいわゆるインナーマッスル（横隔膜、腹横筋、多裂筋、脊柱起立筋）を動かすことができる。この結果、姿勢がよくなるのみならず、例えば、尿失禁を止めることができたり、ウエストの寸法を小さくすることができたりすることが可能となる。
【００２５】
次に本発明の第２実施形態による骨盤底筋群押圧具１Ａについて、図３〜図４を参照しながら説明する。第２実施形態の骨盤底筋群押圧具１Ａの外形及び硬度は、第１実施形態の骨盤底筋群押圧具１の外形及び硬度とは異なる。これ以外は、第１実施形態の骨盤底筋群押圧具１と同一であるため、同一の部分については説明を省略する。
【００２６】
骨盤底筋群押圧具１Ａは、凸状上面１１Ａと、下面１２Ａと、左接続平面１３Ａと、右接続平面１４Ａと、前端面１５Ａと、後端面１６Ａと、を有する。
凸状上面１１Ａは、骨盤底筋群押圧具１Ａの長手方向としての前後方向Ｄ２に対する幅の一端から他端に渡って、即ち、骨盤底筋群押圧具１Ａの左端１０１Ａから右端１０２Ａに渡って、外方としての上方向Ｄ１１へ湾曲する。更に、凸状上面１１Ａは、長手方向における一端部から他端部に渡って、即ち、同図の前端面１５Ａから後端面１６Ａに渡って、外方（上方向Ｄ１１）へ湾曲している。従って、骨盤底筋群押圧具１Ａの左右方向Ｄ３の中央部で且つ前後方向Ｄ２の中央部は、もっとも上方向Ｄ１１へ突出している。
【００２７】
換言すれば、骨盤底筋群押圧具１Ａの部分であって骨盤底筋群押圧具１Ａの長手方向における人体Ｈの恥骨と尾骨との間の長さに対応する部分の全体は、このような形状の凸状上面１１Ａを有している。骨盤底筋群押圧具１Ａは、図３に示すように、正面から見ると、半径が２２．５ｍｍの略半円形状を有している。
下面１２Ａは、凸状上面１１Ａに対向する位置関係を有する。下面１２Ａは、平坦面により構成されている。
【００２８】
凸状上面１１Ａの左端縁と下面１２Ａの左端縁とは、平坦な左接続平面１３Ａにより接続されている。同様に、凸状上面１１Ａの右端縁と下面１２Ａの右端縁とは、平坦な右接続平面１４Ａにより接続されている。左接続平面１３Ａの仮想延長平面と右接続平面１４Ａの仮想延長平面とは、下面１２Ａよりも下方向Ｄ１２の側の位置において２°の角度で交差する位置関係を有している。
前端面１５Ａと後端面１６Ａとは、互いに平行な位置関係を有する。また、前端面１５Ａ及び後端面１６Ａは、前後方向Ｄ２に直交する。前端面１５Ａ及び後端面１６Ａと、凸状上面１１Ａ、下面１２Ａ、左接続平面１３Ａ、及び右接続平面１４Ａとの接続部分は、半径が５ｍｍ程度の面取り形状を有している。
【００２９】
前端面１５Ａと後端面１６Ａとの間の長さ、即ち、骨盤底筋群押圧具１Ａの長手方向における長さは、１８０ｍｍ以上が好ましく、第２実施形態による骨盤底筋群押圧具１Ａでは、２０７ｍｍである。従って、骨盤底筋群押圧具１Ａは、長手方向において人体Ｈの恥骨と尾骨との間よりも長い長さ（全長）を有する。また、左右方向Ｄ３における幅は、４５ｍｍである。従って、骨盤底筋群押圧具１Ａは、幅方向としての左右方向Ｄ３において人体Ｈの一対の坐骨間の長さよりも短い幅を有する。また、骨盤底筋群押圧具１Ａの凸状上面１１Ａと下面１２Ａとの最大距離、即ち、骨盤底筋群押圧具１Ａの上端から下端までの距離は、３０ｍｍ〜６０ｍｍであることが好ましい。第２実施形態では、骨盤底筋群押圧具１Ａの上端から下端までの距離は、５０ｍｍである。３０ｍｍよりも小さい値の場合には、骨盤底筋群に対する押圧が十分でない。また、６０ｍｍよりも大きい値の場合には、人体Ｈの恥骨近傍及び尾骨近傍の部分に痛みを感じるためである。
【００３０】
また、骨盤底筋群押圧具１Ａは、ＪＩＳ  Ｋ６２５３準拠の国際ゴム硬さ（ＩＲＨＤ）の値で、１０〜２０の硬度を有する。第２実施形態による骨盤底筋群押圧具１Ａの硬度は、１４である。１０未満では、硬すぎて人体Ｈの恥骨近傍及び尾骨近傍の部分に痛みを感じるためである。また、２０を越えると、柔らかすぎて骨盤底筋群に対する押圧が十分でないからである。硬度の測定方法は、第１実施形態における硬度の測定方法と同様である。
【００３１】
以上のような構成の骨盤底筋群押圧具１Ａは、第１実施形態による骨盤底筋群押圧具１と同様にして使用される。その際に、凸状上面１１Ａは、長手方向における一端部（前端面１５Ａ）から他端部（後端面１６Ａ）に渡って、外方（上方）へ湾曲しているため、骨盤底筋群が骨盤底筋群押圧具１Ａから反力を受けたときに、人体Ｈは、恥骨近傍及び尾骨近傍に受ける刺激を、より少なくすることができる。
従って、第１実施形態による骨盤底筋群押圧具１を使用したときに、刺激があり痛いと感じる使用者であっても、第２実施形態による骨盤底筋群押圧具１を使用したときには、痛みを感じずに、快適に骨盤底筋群を押圧することができる。
【００３２】
次に、骨盤底筋群押圧具の凸状上面１１Ａと下面１２Ａとの最大距離を変えて、本発明の効果を確かめる試験を行った。試験では、第２実施形態による骨盤底筋群押圧具１Ａを発明品２とした。また、上下方向Ｄ１における最大距離を２０ｍｍ、２５ｍｍ、３５ｍｍ、５５ｍｍ、６５ｍｍ、７０ｍｍとし、それ以外の構成については第２実施形態による骨盤底筋群押圧具１Ａと同一としものを、それぞれ比較品１、比較品２、発明品１、発明品３、比較品３、比較品４とした。そして、５０人の被験者に骨盤底筋群押圧具を使用してもらい、恥骨近傍及び尾骨近傍の痛みの有無及び骨盤底筋群の押圧の度合いについて調べた。
【００３３】
具体的には、５０人の被験者のうちで、恥骨近傍及び尾骨近傍の痛みが特に強かった人数を「痛みあり」として数えた。また、５０人の被験者のうちで、骨盤底筋群の押圧の度合いが十分であると感じた人数を「押圧十分」として数えた。試験結果は以下の表１に示すとおりである。
【表１】
0005469705.tif 000002
【００３４】
表１に示すように、発明品１、発明品２、発明品３では、いずれも痛みを強く感じた人数は少なかったが、比較品３、比較品４では、ほとんどの被険者が強い痛みを感じている。一方、発明品１、発明品２、発明品３では、いずれも押圧の度合いが十分であると感じた被険者は多かったが、比較品１、比較品２では、ほとんどの被険者が押圧の度合いは物足りないと感じている。この結果から、凸状上面と下面との最大距離が３０ｍｍ〜６０ｍｍである発明品は、いずれも痛みを強く感じず、且つ、骨盤底筋群の押圧の度合いが十分であることが分かる。
【００３５】
また、骨盤底筋群押圧具の硬度を変えて、本発明の効果を確かめる試験を行った。試験では、第２実施形態による骨盤底筋群押圧具１Ａを発明品２とした。また、硬度（ＩＲＨＤ）の値を２６、２１、２０、１１、７、９とし、それ以外の構成については第２実施形態による骨盤底筋群押圧具１Ａと同一としものを、それぞれ比較品１、比較品２、発明品１、発明品３、比較品３、比較品４とした。そして、５０人の被験者に骨盤底筋群押圧具を使用してもらい、恥骨近傍及び尾骨近傍の痛みの有無及び骨盤底筋群の押圧の度合いについて調べた。
【００３６】
具体的には、５０人の被験者のうちで、恥骨近傍及び尾骨近傍の痛みが特に強かった人数を「痛みあり」として数えた。また、５０人の被験者のうちで、骨盤底筋群の押圧の度合いが十分であると感じた人数を「押圧十分」として数えた。試験結果は以下の表２に示すとおりである。
【表２】
0005469705.tif 000003
【００３７】
表１に示すように、発明品１、発明品２、発明品３では、いずれも痛みを強く感じた人数は少なかったが、比較品３、比較品４では、ほとんどの被険者が強い痛みを感じている。一方、表１に示すように、発明品１、発明品２、発明品３では、いずれも押圧の度合いが十分であると感じた被険者は多かったが、比較品１、比較品２では、ほとんどの被険者が押圧の度合いは物足りないと感じている。この結果から、ＪＩＳ  Ｋ６２５３準拠の国際ゴム硬さ（ＩＲＨＤ）の値で１０〜２０の硬度を有する発明品は、いずれも痛みを強く感じず、且つ、骨盤底筋群の押圧の度合いが十分であることが分かる。
【００３８】
また、１００人の被験者に、１回の使用を２分程度として、１日に２回、第２の実施形態による骨盤底筋群押圧具１Ａを、７日間使用してもらい、尿失禁にどれぐらいの効果が得られたか調査を行った。調査項目は、計６つであり、６つの各項目について択一式で回答を得た。具体的に調査項目は以下の通りである。
項目１．どれくらいの頻度で尿が漏れますか？
項目２．あなたはどれくらいの量の尿漏れがあると思いますか？
項目３．全体として、あなたの毎日の生活は尿漏れのためにどれくらい損なわれていますか？
項目４．どんな時に尿が漏れますか？
項目５．排尿回数について教えて下さい。
項目６．夜眠れるようになりましたか？
【００３９】
項目１については、骨盤底筋群押圧具１Ａの使用前、使用後において、「（Ａ１）なし」、「（Ｂ１）おおよそ１週間に１回あるいはそれ以下」、「（Ｃ１）１週間に２〜３回」、「（Ｄ１）おおよそ１日に１回」、「（Ｅ１）１日に数回」、「（Ｆ１）常に」の選択肢の中から１つを被験者に選んでもらい、各選択肢を選択した人数を得た。
項目２については、骨盤底筋群押圧具１Ａの使用前、使用後において、「（Ａ２）なし」、「（Ｂ２）少量」、「（Ｃ２）中等量」、「（Ｄ２）多量」の選択肢の中から１つを被験者に選んでもらい、各選択肢を選択した人数を得た。
【００４０】
項目３については、骨盤底筋群押圧具１Ａの使用前、使用後において、０（全く損なわれていない）〜１０（非常に損なわれている）のうちの１０段階評価を行い、１０段階を「（Ａ３）０〜３」、「（Ｂ３）４〜７」、「（Ｃ３）８〜１０」の３つに分けた選択肢の中から１つ被験者に選んでもらい、各選択肢を選択した人数を得た。
項目４については、骨盤底筋群押圧具１Ａの使用前、使用後において、「（Ａ４）なし：尿漏れはない」、「（Ｂ４）トイレにたどりつく前に漏れる」、「（Ｃ４）咳やくしゃみをした時に漏れる」、「（Ｄ４）眠っている間に漏れる」、「（Ｅ４）体を動かしているときや運動している時に漏れる」、「（Ｆ４）排尿を終えて服を来た時に漏れる」、「（Ｇ４）理由がわからず漏れる」、「（Ｈ４）常に漏れている」の選択肢の中から１つを被験者に選んでもらい、各選択肢を選択した人数を得た。
【００４１】
項目５については、骨盤底筋群押圧具１Ａの使用前、使用後において、「（Ａ５）昼間（起きている間）」、「（Ｂ５）夜間（就寝後）」について、排尿回数を回答してもらい、平均回数を計算した。
項目６については、骨盤底筋群押圧具１Ａの使用前、使用後において、「（Ａ６）はい。眠れるようになった」、「（Ｂ６）まあまあ、眠れる」、「（Ｃ６）あまり眠れない」、「（Ｄ６）全く眠れない」の選択肢の中から１つを被験者に選んでもらい、各選択肢を選択した人数を得た。
各項目についての試験結果は以下の表３〜表８に示す通りである。
【００４２】
【表３】
0005469705.tif 000004
【表４】
0005469705.tif 000005
【表５】
0005469705.tif 000006
【表６】
0005469705.tif 000007
【表７】
0005469705.tif 000008
【表８】
0005469705.tif 000009
【００４３】
表３〜表８に示すように、被験者１００人の尿失禁の状態は、著しく改善されている。
具体的には、表３に示すように、尿が漏れる頻度は、骨盤底筋群押圧具１Ａの使用後には、大幅に少なくなっている。また、表４に示すように、尿漏れの量は、骨盤底筋群押圧具１Ａの使用後には、大幅に少なくなっている。また、表５に示すように、尿漏れにより毎日の生活が損なわれている度合いは、骨盤底筋群押圧具１Ａの使用後には、大幅に減少している。
また、表６に示すように、様々な状況において尿漏れが生じていたが、骨盤底筋群押圧具１Ａの使用後には、尿漏れはほとんどない状態となっている。
また、表７に示すように、排尿回数は、昼間、夜間共に、骨盤底筋群押圧具１Ａの使用後には、少なくなっている。また、表８に示すように、骨盤底筋群押圧具１Ａの使用後には、使用前よりも眠れるようになっている。以上の結果から、骨盤底筋群押圧具１Ａを定期的に所定時間使用することにより、尿失禁が大幅に改善することが分かる。
【００４４】
本発明は、上述した実施形態に限定されることはなく、特許請求の範囲に記載された技術的範囲において変形が可能である。例えば、骨盤底筋群押圧具の形状は、本実施形態による骨盤底筋群押圧具１、１Ａの形状に限定されない。例えば、骨盤底筋群押圧具は、長手方向において少なくとも人体Ｈの恥骨と尾骨との間の長さを有し、長手方向に対する幅方向において人体Ｈの一対の坐骨間の長さよりも短い幅を有していればよい。そして、骨盤底筋群押圧具の長手方向における人体Ｈの恥骨と尾骨との間の長さに対応する部分の全体は、長手方向に対する幅の一端から他端に渡って外方へ湾曲する凸状上面を有していればよい。同様に、凸状上面に対向する下方向Ｄ１２側の面の形状は、本実施形態の平坦な下面や凸状に限定されない。
【符号の説明】
【００４５】
１、１Ａ    骨盤底筋群押圧具
１１、１１Ａ    凸状上面
１２    凸状下面
１２Ａ    下面
１０１、１０１Ａ    骨盤底筋群押圧具の左端
１０２、１０２Ａ    骨盤底筋群押圧具の右端
Ｄ２    前後方向
Ｈ    人体
Ｓ    座面
【図１】
0005469705.tif 000010
【図２】
0005469705.tif 000011
【図３】
0005469705.tif 000012
【図４】
0005469705.tif 000013